(57)【要約】      （修正有）【課題】回転刃の表裏面における刃先縁の各隅角にはすくい角が施され、隣接する隅角同士を連ねる前記刃の輪郭線に隅角のすくい面が連なり、形成されていることにより、布のような剛性の低いものでも、確実に破砕できるようにする。【解決手段】破砕機におけるロータ周面に配列される回転刃１２は正方形で板状のスロアウエーチップとしてあり、回転刃１２の表裏面における刃先縁１５の各隅角１６にはすくい角が施され、隣接する隅角１６同士を連ねる回転刃１２の輪郭線１７に隅角１６のすくい面１８が連なり、形成される。【選択図】図１
0003139204.tif 000002
【実用新案登録請求の範囲】
【請求項１】
破砕機におけるロータ周面に配列される回転刃において、この回転刃は正方形で板状のスロアウエーチップとしてあり、前記回転刃の表裏面における刃先縁の各隅角にはすくい角が施され、隣接する隅角同士を連ねる前記刃の輪郭線に隅角のすくい面が連なり、形成されていることを特徴とする破砕機におけるロータ周面に配列される回転刃。
【請求項２】
前記回転刃の中央部には、取り付け面としてあり、この取り付け面を取り囲むように前記回転刃の表裏面における刃先縁の各隅角に前記すくい面が形成され、このすくい面は、この回転刃の隣接する隅角間に延在し、前記すくい面は前記取り付け面から同一高さで同一方向に張り出して形成されていることを特徴とする請求項１記載の回転刃。
【請求項３】
回転軸線が水平なロータリー型破砕機における円柱状のロータ周面に回転刃を複数個配列してなる回転刃ユニットにおいて、前記回転刃ユニットは請求項１記載の前記回転刃の表裏面における刃先縁の各隅角に前記すくい面が形成された回転刃を備え、ロータ周面における各回転刃の取付け箇所には、刃取付座が形成され、前記刃取付座の後端寄りにはこの刃取付座に嵌合する刃ホルダーがこのロータに対して取外し自在に配置され、この刃ホルダーの刃取付面は、前記刃の正方形と略同一の形状としてあり、この刃ホルダーの刃取付面に前記回転刃がその背面でスペーサを介して間接的に当接し、この回転刃の一隅角部がこのロータ周面から突出した状態で、前記刃取付面に前記回転刃が着脱自在に取り付けられることを特徴とする回転刃ユニット。
【考案の詳細な説明】
【技術分野】
【０００１】  本考案は、破砕装置、殊に、プラスチック大塊、木材、紙、電線その他の産業廃棄物をリサイクルするために破砕する装置に用いられる回転刃とこの回転刃を備える回転刃ユニットに関する。
【背景技術】
【０００２】この種の装置としては、前記産業廃棄物を低騒音で低速回転する単一のロータリ型の破砕機に供給し破砕している。
【特許文献１】特許第２６１３３６２号公報
【考案の開示】
【考案が解決しようとする課題】
【０００３】  前記の破砕機のロータ周面に刃を複数個配列してなる回転刃における各刃は、摩耗が激しく、各刃の交換を頻繁に行なわなくてはならず、破砕機の稼動効率が低下する傾向にある。
この欠点を改良したものとして、破砕機におけるロータ周面に配列される回転刃において、この回転刃は正方形で板状のスロアウエーチップとしてあり、前記回転刃の表面のみにおける刃先縁の各隅角にすくい面が形成されているものが市販されているが、まだ、刃の交換の頻繁さを改善する程度には至っていない。
この考案は、前記課題を簡易な構成により解決し、従来のものより、各回転刃の表裏面を有効に利用して、回転刃の交換頻度を低くし、かつ回転刃の交換を簡易、且つ迅速に行なえると共に、一枚の刃の使用寿命を延ばすようにすることを主目的とする。
この考案のそのほかの目的は、布のような剛性の低いものでも、確実に破砕できるようにすることである。
【課題を解決するための手段】
【０００４】前記課題を解決するために、特定考案は、破砕機におけるロータ周面に配列される回転刃において、この回転刃は正方形で板状のスロアウエーチップとしてあり、前記回転刃の表裏面における刃先縁の各隅角にはすくい角が施され、隣接する隅角同士を連ねる前記回転刃の輪郭線に隅角のすくい面が連なり、形成されていることを特徴とする破砕機におけるロータ周面に配列される回転刃としてある。
【考案の効果】
【０００５】  請求項１、２、３記載の考案においては、前記ロータ周面から三角形状に突出している前記回転刃の表裏面における一つ隅角部とこれに連なる稜線の２つの前記すく面を有する刃先縁により、被破砕物を削り破砕片とし、使用により回転刃が摩耗した場合には、刃ホルダーから前記刃を外し、刃ホルダーの刃取付面に対して、９０度の整数倍、その中心軸線周りに刃の向きを変えて、新たな一つの頂点とこれに連なる２つの前記刃先縁を前記ロータ周面から突出することで、前記回転刃の切れ味が新しくなり、破砕作業を継続して行なうことが出来る。
即ち、一つ隅角部とこれに連なる稜線の２つの前記すくい面を１組とし使用し、この隅角部が磨耗したときには前記回転刃を１８０度回転し、別の一つ隅角部とこれに連なる稜線の２つの前記すくい面を前記ロータ周面から突出して使用し、これら隅角部とこれに連なる稜線の２つの前記すくい面が磨耗した場合には前記回転刃の表裏を反転して、同様に他の面を使用でき、回転刃の交換頻度を低くできる。
更に前記回転刃の８つの頂点又は、隅角部とこれに連なる稜線の２つのすくい面が全て摩耗したときには、刃ホルダーから前記摩耗した回転刃を外し、新たなものに交換することが出来る。従って、１つの回転刃をその表裏面に形成した複数の隅角を有効に使用出来、１つの回転刃の寿命を長くすることができる。【０００６】  前記効果に加えて、前記すくい面を形成することで、剛性の低い布などの柔軟な被破砕物でも、確実に切断できる。
殊に、請求項３記載の考案においては、この刃ホルダーの刃取付面に前記回転刃はその背面でスペーサを介して間接的に当接し、この回転刃の一隅角部がこのロータ周面から突出した状態で、前記刃取付面に前記回転刃が着脱自在に取り付けられることにより、前記回転刃の表裏面を反転して、この回転刃を刃ホルダーの刃取付面に取り付けても、前記スペーサの存在により、前記隅角のすくい面と刃ホルダーの刃取付面が接触することなく、刃ホルダーの刃取付面に前記回転刃はその背面の取り付け面でスペーサを介して間接的に当接することになり、１つの回転刃の表裏面に形成した８個の隅角または隅角部とこれに連なる稜線の２つのすくい面を有効に使用できる。
【考案を実施するための最良の形態】
【０００７】  この形態は、請求項１、２、３記載の考案の代表的な実施の形態であり、図３において、１０は破砕装置における回転刃ユニットを示し、この回転刃ユニット１０は、回転軸線が水平なロータリー型破砕機における円柱状のロータ１１周面に回転刃１２を複数個配列してなる。【０００８】  図２、図３において、この回転刃１２は正方形で板状のスロアウエーチップとしてあり、前記回転刃１２の表裏面１３、１４における刃先縁１５の各隅角１６にはすくい角が施され、隣接する隅角１６同士を連ねる前記回転刃１２の輪郭線１７に隅角１６のすくい面１８が連なり、形成されている。【０００９】  前記回転刃１２の表裏面１３、１４の中央部には、円形の平坦な取り付け面１９としてあり、この取り付け面１９を取り囲むように前記すくい面１８が形成され、このすくい面１８は、この回転刃１２の隣接する隅角１６間に延在している。なお、前記取り付け面１９の形状は一例であり、この考案においては、取り付け面１９であれば平坦でなくとも良い。
各隅角１６でのすくい面１８の最高高さは前記取り付け面１９から４ミリ程度としてあり、前記すくい面１８は前記取り付け面１９から同一高さで同一方向に張り出して形成されている。なお、前記寸法は例示であって、この考案としては、この数値に限定されない。【００１０】  図１において、前記ロータ１１周面における各回転刃１２の取付け箇所には、前記回転刃１２に対面し、産業廃棄物を切断乃至剪断する固定刃が配置してある。前記ロータ１１周面における各回転刃１２の取付け箇所には、断面９０度Ｖ字型にロータ１１の弦方向でこのロータ１１を切除してなる各谷形の刃取付座２０が形成され、それぞれ平面紡錘形を呈する。
前記刃取付座２０の後端寄りにはこの刃取付座２０に嵌合する刃ホルダー２１がこのロータ１１に対して取外し自在に配置されている。
この刃ホルダー２１の刃取付面２２は、前記回転刃１２の正方形と略同一の形状としてあり、この刃ホルダー２１の刃取付面２２に前記回転刃１２がその背面でスペーサ２６を介して間接的に当接し、常にこの回転刃１２の一隅角１６がこのロータ２１周面から突出した状態で、かつ回転刃１２の底部二辺が前記刃取付座２０に接した状態で前記刃取付面２２に前記回転刃１２はボルトなどの固定具２３により着脱自在に取り付けられる。
２７は、前記回転刃１２を前記刃ホルダー２１の刃取付面２２に位置決めする位置決めピンとしての位置決めボルトを示し、前記刃ホルダー２１の刃取付面２２にねじ込まれ、取り付けられている。【００１１】  前記水平な円柱状のロータ１１周面に前記回転刃１２は例えばスパイラルカーブに沿って複数個配列される。【００１２】  前記回転刃１２の前面側には、この刃取付座２０に接して、この刃取付座２０を埋める栓状ブロック体２４がその背面でこのロータ１１から突出する部分を残して前記回転刃１２の前面部分に当接してカバーする状態でこのロータ１１に対してボルトなどの固定具２５により着脱自在に配置してある（図３参照）。このブロック体２４を前記刃取付座２０から外すことで、前記回転刃２２は前記位置決めボルト２７から取り外され、その表裏を反転可能としてある。
【図面の簡単な説明】
【００１３】
【図１】本件考案の回転刃の側面図である。
【図２】図１の正面図である。
【図３】回転刃ユニットの概略縦断側面図である。
【符号の説明】
【００１４】１２  回転刃
１３、１４  表裏面
１５  刃先縁
１６  隅角
１７  輪郭線
１８  すくい面
【図１】
0003139204.tif 000003
【図２】
0003139204.tif 000004
【図３】
0003139204.tif 000005
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
破砕機におけるロータ周面に配列される回転刃において、この回転刃は正方形で板状のスロアウエーチップとしてあり、前記回転刃の表裏面における刃先縁の各隅角にはすくい角が施され、隣接する隅角同士を連ねる前記刃の輪郭線に隅角のすくい面が連なり、形成されていることを特徴とする破砕機におけるロータ周面に配列される回転刃。
【請求項２】
回転軸線が水平なロータリー型破砕機における円柱状のロータ周面に回転刃を複数個配列してなる回転刃ユニットにおいて、前記回転刃ユニットは請求項１記載の前記回転刃を備え、ロータ周面における各回転刃の取付け箇所には、刃取付座が形成され、前記刃取付座の後端寄りにはこの刃取付座に嵌合する刃ホルダーがこのロータに対して取外し自在に配置され、この刃ホルダーの刃取付面は、前記刃の正方形と略同一の形状としてあり、この刃ホルダーの刃取付面に前記回転刃がその背面でスペーサを介して間接的に当接し、この回転刃の一隅角部がこのロータ周面から突出した状態で、前記刃取付面に前記回転刃が着脱自在に取り付けられることを特徴とする回転刃ユニット。
【請求項３】
前記回転刃を前記刃ホルダーの刃取付面に位置決めする位置決めピンとしての位置決めボルトが、前記刃ホルダーの刃取付面にねじ込まれ、取り付けられていることを特徴とする請求項２記載の回転刃ユニット。
【手続補正２】
【補正対象書類名】明細書
【補正対象項目名】全文
【補正方法】変更
【補正の内容】
【考案の詳細な説明】
【技術分野】
【０００１】  本考案は、破砕装置、殊に、プラスチック大塊、木材、紙、電線その他の産業廃棄物をリサイクルするために破砕する装置に用いられる回転刃とこの回転刃を備える回転刃ユニットに関する。
【背景技術】
【０００２】この種の装置としては、前記産業廃棄物を低騒音で低速回転する単一のロータリ型の破砕機に供給し破砕している。
【特許文献１】特許第２６１３３６２号公報
【考案の開示】
【考案が解決しようとする課題】
【０００３】  前記の破砕機のロータ周面に刃を複数個配列してなる回転刃における各刃は、摩耗が激しく、各刃の交換を頻繁に行なわなくてはならず、破砕機の稼動効率が低下する傾向にある。
この欠点を改良したものとして、破砕機におけるロータ周面に配列される回転刃において、この回転刃は正方形で板状のスロアウエーチップとしてあり、前記回転刃の表面のみにおける刃先縁の各隅角にすくい面が形成されているものが市販されているが、まだ、刃の交換の頻繁さを改善する程度には至っていない。
この考案は、前記課題を簡易な構成により解決し、従来のものより、各回転刃の表裏面を有効に利用して、回転刃の交換頻度を低くし、かつ回転刃の交換を簡易、且つ迅速に行なえると共に、一枚の刃の使用寿命を延ばすようにすることを主目的とする。
この考案のそのほかの目的は、布のような剛性の低いものでも、確実に破砕できるようにすることである。
【課題を解決するための手段】
【０００４】前記課題を解決するために、特定考案は、破砕機におけるロータ周面に配列される回転刃において、この回転刃は正方形で板状のスロアウエーチップとしてあり、前記回転刃の表裏面における刃先縁の各隅角にはすくい角が施され、隣接する隅角同士を連ねる前記回転刃の輪郭線に隅角のすくい面が連なり、形成されていることを特徴とする破砕機におけるロータ周面に配列される回転刃としてある。
【考案の効果】
【０００５】  請求項１、２、３記載の考案においては、前記ロータ周面から三角形状に突出している前記回転刃の表裏面における一つ隅角部とこれに連なる稜線の２つの前記すく面を有する刃先縁により、被破砕物を削り破砕片とし、使用により回転刃が摩耗した場合には、刃ホルダーから前記刃を外し、刃ホルダーの刃取付面に対して、９０度の整数倍、その中心軸線周りに刃の向きを変えて、新たな一つの頂点とこれに連なる２つの前記刃先縁を前記ロータ周面から突出することで、前記回転刃の切れ味が新しくなり、破砕作業を継続して行なうことが出来、前記回転刃の前面の頂点が全て摩耗した場合には前記回転刃を刃ホルダーの刃取り付け面から外し、その表裏を反転して使用でき、前記回転刃の８つの頂点が全て摩耗したときには、刃ホルダーから前記摩耗した回転刃を外し、新たなものに交換することが出来る。従って、１つの回転刃をその表裏面に形成した８個の隅角が全て摩耗するまで使用出来、１つの回転刃の寿命を長くすることができる。【０００６】  前記効果に加えて、前記すくい面を形成することで、剛性の低い布などの柔軟な被破砕物でも、確実に切断できる。
殊に、請求項２記載の考案においては、この刃ホルダーの刃取付面に前記回転刃はその背面でスペーサを介して間接的に当接し、この回転刃の一隅角部がこのロータ周面から突出した状態で、前記刃取付面に前記回転刃が着脱自在に取り付けられることにより、前記回転刃の表裏面を反転して、この回転刃を刃ホルダーの刃取付面に取り付けても、前記スペーサの存在により、前記隅角のすくい面と刃ホルダーの刃取付面が接触することなく、刃ホルダーの刃取付面に前記回転刃はその背面の取り付け面でスペーサを介して間接的に当接することになり、１つの回転刃の表裏面に形成した８個の隅角を有効に使用できる。
【考案を実施するための最良の形態】
【０００７】  この形態は、請求項１、２、３記載の考案の代表的な実施の形態であり、図３において、１０は破砕装置における回転刃ユニットを示し、この回転刃ユニット１０は、回転軸線が水平なロータリー型破砕機における円柱状のロータ１１周面に回転刃１２を複数個配列してなる。【０００８】  図２、図３において、この回転刃１２は正方形で板状のスロアウエーチップとしてあり、前記回転刃１２の表裏面１３、１４における刃先縁１５の各隅角１６にはすくい角が施され、隣接する隅角１６同士を連ねる前記回転刃１２の輪郭線１７に隅角１６のすくい面１８が連なり、形成されている。【０００９】  前記回転刃１２の表裏面１３、１４の中央部には、円形の平坦な取り付け面１９としてあり、この取り付け面１９を取り囲むように前記すくい面１８が形成され、このすくい面１８は、この回転刃１２の隣接する隅角１６間に延在している。なお、前記取り付け面１９の形状は一例であり、この考案においては、取り付け面１９であれば平坦でなくとも良い。
各隅角１６でのすくい面１８の最高高さは前記取り付け面１９から４ミリ程度としてある。なお、前記寸法は例示であって、この考案としては、この数値に限定されない。【００１０】  図１において、前記ロータ１１周面における各回転刃１２の取付け箇所には、前記回転刃１２に対面し、産業廃棄物を切断乃至剪断する固定刃が配置してある。前記ロータ１１周面における各回転刃１２の取付け箇所には、断面９０度Ｖ字型にロータ１１の弦方向でこのロータ１１を切除してなる各谷形の刃取付座２０が形成され、それぞれ平面紡錘形を呈する。
前記刃取付座２０の後端寄りにはこの刃取付座２０に嵌合する刃ホルダー２１がこのロータ１１に対して取外し自在に配置されている。
この刃ホルダー２１の刃取付面２２は、前記回転刃１２の正方形と略同一の形状としてあり、この刃ホルダー２１の刃取付面２２に前記回転刃１２がその背面でスペーサ２６を介して間接的に当接し、常にこの回転刃１２の一隅角１６がこのロータ２１周面から突出した状態で、かつ回転刃１２の底部二辺が前記刃取付座２０に接した状態で前記刃取付面２２に前記回転刃１２はボルトなどの固定具２３により着脱自在に取り付けられる。
２７は、前記回転刃１２を前記刃ホルダー２１の刃取付面２２に位置決めする位置決めピンとしての位置決めボルトを示し、前記刃ホルダー２１の刃取付面２２にねじ込まれ、取り付けられている。【００１１】  前記水平な円柱状のロータ１１周面に前記回転刃１２は例えばスパイラルカーブに沿って複数個配列される。【００１２】  前記回転刃１２の前面側には、この刃取付座２０に接して、この刃取付座２０を埋める栓状ブロック体２４がその背面でこのロータ１１から突出する部分を残して前記回転刃１２の前面部分に当接してカバーする状態でこのロータ１１に対してボルトなどの固定具２５により着脱自在に配置してある（図３参照）。このブロック体２４を前記刃取付座２０から外すことで、前記回転刃２２は前記位置決めボルト２７から取り外され、その表裏を反転可能としてある。
【図面の簡単な説明】
【００１３】
【図１】本件考案の回転刃の側面図である。
【図２】図１の正面図である。
【図３】回転刃ユニットの概略縦断側面図である。
【符号の説明】
【００１４】１２  回転刃
１３、１４  表裏面
１５  刃先縁
１６  隅角
１７  輪郭線
１８  すくい面